【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
画像形成装置を構成するデバイスの制御を情報処理装置上で模擬するために、当該画像形成装置を制御する制御ソフトウエアを前記情報処理装置上で模擬的に動作させることにより前記画像形成装置の動作制御が可能か否かを判定する設計支援方法であって、
前記デバイスに対する操作要求に基づき前記画像形成装置を制御する制御ソフトウエアを仮想的に動作させるソフトウエアシミュレーション工程と、
前記デバイスの制御を切替えるための開始条件と、前記デバイスが実行すべき制御の内容を特定するためのトリガ情報と、を対応付けて前記情報処理装置の記憶手段に登録するトリガ情報登録工程と、
前記制御ソフトウエアの実行により切替えられた制御により動作する前記デバイスが正常な動作状態であることを示す状態変化の許容範囲の情報を前記トリガ情報に関連付けて前記記憶手段に登録する許容値登録工程と、
前記デバイスの動作状態が前記記憶手段に登録されている前記開始条件を満たしているか否かを判定し、当該開始条件を満たしていると判定される場合に、前記記憶手段に登録されている前記開始条件に対応する前記トリガ情報と、前記トリガ情報に対応する前記許容範囲の情報とを参照して、前記制御ソフトウエアの実行により切替えられた制御による前記デバイスの状態変化が前記許容範囲から外れるか否かを判定する判定工程と、
を備えることを特徴とする設計支援方法。
【請求項２】
前記トリガ情報には、制御対象となる前記デバイスに対して搬送される記録媒体の先端が突入したか、または前記デバイスから前記記録媒体の後端が離脱したかを示す記録媒体の搬送状態を示す情報が含まれることを特徴とする請求項１に記載の設計支援方法。
【請求項３】
前記制御ソフトウエアの動作結果に基づいて、前記画像形成装置を構成する仮想的なデバイスを仮想的に動作させる機構シミュレーション工程を更に有し、
前記判定工程は、入力手段により入力された前記機構シミュレーション工程における仮想的な動作のシミュレーション結果に基づいて、仮想的なデバイスの状態変化が前記許容範囲から外れるか否かを判定することを特徴とする請求項１に記載の設計支援方法。
【請求項４】
前記判定工程は、入力手段により実機の画像形成装置を動作させた結果により取得された情報に基づいて、前記実機の画像形成装置を構成するデバイスの状態変化が前記許容範囲から外れるか否かを判定することを特徴とする請求項１に記載の設計支援方法。
【請求項５】
前記判定工程による判定結果が前記許容範囲から外れることを識別するための表示を前記情報処理装置の表示手段に表示させる表示制御工程を更に備えることを特徴とする請求項１乃至４のいずれか１項に記載の設計支援方法。
【請求項６】
画像形成装置を構成するデバイスの制御を情報処理装置上で模擬するために、当該画像形成装置を制御する制御ソフトウエアを前記情報処理装置上で模擬的に動作させることにより前記画像形成装置の動作制御が可能か否かを判定する設計支援装置であって、
前記デバイスに対する操作要求に基づき前記画像形成装置を制御する制御ソフトウエアを仮想的に動作させるソフトウエアシミュレーション手段と、
前記デバイスの制御を切替えるための開始条件と、前記デバイスが実行すべき制御の内容を特定するためのトリガ情報と、を対応付けて前記情報処理装置の記憶手段に登録するトリガ情報登録手段と、
前記制御ソフトウエアの実行により切替えられた制御により動作する前記デバイスが正常な動作状態であることを示す状態変化の許容範囲の情報を前記トリガ情報に関連付けて前記記憶手段に登録する許容値登録手段と、
前記デバイスの動作状態が前記記憶手段に登録されている前記開始条件を満たしているか否かを判定し、当該開始条件を満たしていると判定される場合に、前記記憶手段に登録されている前記開始条件に対応する前記トリガ情報と、前記トリガ情報に対応する前記許容範囲の情報とを参照して、前記制御ソフトウエアの実行により切替えられた制御による前記デバイスの状態変化が前記許容範囲から外れるか否かを判定する判定手段と、
を備えることを特徴とする設計支援装置。
【請求項７】
前記トリガ情報には、制御対象となる前記デバイスに対して搬送される記録媒体の先端が突入したか、または前記デバイスから前記記録媒体の後端が離脱したかを示す記録媒体の搬送状態を示す情報が含まれることを特徴とする請求項６に記載の設計支援装置。
【請求項８】
前記制御ソフトウエアの動作結果に基づいて、前記画像形成装置を構成する仮想的なデバイスを仮想的に動作させる機構シミュレーション手段を更に有し、
前記判定手段は、入力手段により入力された前記機構シミュレーション手段による仮想的な動作のシミュレーション結果に基づいて、仮想的なデバイスの状態変化が前記許容範囲から外れるか否かを判定することを特徴とする請求項６に記載の設計支援装置。
【請求項９】
前記判定手段は、入力手段により実機の画像形成装置を動作させた結果により取得された情報に基づいて、前記実機の画像形成装置を構成するデバイスの状態変化が前記許容範囲から外れるか否かを判定することを特徴とする請求項６に記載の設計支援装置。
【請求項１０】
前記判定手段による判定結果が前記許容範囲から外れることを識別するための表示を前記情報処理装置の表示手段に表示させる表示制御手段を更に備えることを特徴とする請求項６乃至９のいずれか１項に記載の設計支援装置。
【請求項１１】
請求項１乃至５のいずれか１項に記載の設計支援方法をコンピュータに実行させることを特徴とする設計支援プログラム。
【請求項１２】
請求項１１に記載の設計支援プログラムを格納したことを特徴とするコンピュータ可読の記憶媒体。
【手続補正２】
【補正対象書類名】明細書
【補正対象項目名】００１７
【補正方法】変更
【補正の内容】
【００１７】
本発明に係る設計支援方法は、画像形成装置を構成するデバイスの制御を情報処理装置上で模擬するために、当該画像形成装置を制御する制御ソフトウエアを前記情報処理装置上で模擬的に動作させることにより前記画像形成装置の動作制御が可能か否かを判定する設計支援方法であって、
前記デバイスに対する操作要求に基づき前記画像形成装置を制御する制御ソフトウエアを仮想的に動作させるソフトウエアシミュレーション工程と、
前記デバイスの制御を切替えるための開始条件と、前記デバイスが実行すべき制御の内容を特定するためのトリガ情報と、を対応付けて前記情報処理装置の記憶手段に登録するトリガ情報登録工程と、
前記制御ソフトウエアの実行により切替えられた制御により動作する前記デバイスが正常な動作状態であることを示す状態変化の許容範囲の情報を前記トリガ情報に関連付けて前記記憶手段に登録する許容値登録工程と、
前記デバイスの動作状態が前記記憶手段に登録されている前記開始条件を満たしているか否かを判定し、当該開始条件を満たしていると判定される場合に、前記記憶手段に登録されている前記開始条件に対応する前記トリガ情報と、前記トリガ情報に対応する前記許容範囲の情報とを参照して、前記制御ソフトウエアの実行により切替えられた制御による前記デバイスの状態変化が前記許容範囲から外れるか否かを判定する判定工程と、を備えることを特徴とする。
【手続補正３】
【補正対象書類名】明細書
【補正対象項目名】００１８
【補正方法】変更
【補正の内容】
【００１８】
あるいは、本発明に係る設計支援装置は、画像形成装置を構成するデバイスの制御を情報処理装置上で模擬するために、当該画像形成装置を制御する制御ソフトウエアを前記情報処理装置上で模擬的に動作させることにより前記画像形成装置の動作制御が可能か否かを判定する設計支援装置であって、
前記デバイスに対する操作要求に基づき前記画像形成装置を制御する制御ソフトウエアを仮想的に動作させるソフトウエアシミュレーション手段と、
前記デバイスの制御を切替えるための開始条件と、前記デバイスが実行すべき制御の内容を特定するためのトリガ情報と、を対応付けて前記情報処理装置の記憶手段に登録するトリガ情報登録手段と、
前記制御ソフトウエアの実行により切替えられた制御により動作する前記デバイスが正常な動作状態であることを示す状態変化の許容範囲の情報を前記トリガ情報に関連付けて前記記憶手段に登録する許容値登録手段と、
前記デバイスの動作状態が前記記憶手段に登録されている前記開始条件を満たしているか否かを判定し、当該開始条件を満たしていると判定される場合に、前記記憶手段に登録されている前記開始条件に対応する前記トリガ情報と、前記トリガ情報に対応する前記許容範囲の情報とを参照して、前記制御ソフトウエアの実行により切替えられた制御による前記デバイスの状態変化が前記許容範囲から外れるか否かを判定する判定手段と、を備えることを特徴とする。